(57)【要約】【課題】複数枚の可逆性感熱記録媒体が長時間にわたって放置されていても変色等を生じさせない給紙トレイ、を有する記録装置を提供する。【解決手段】支持体上に電子供与性呈色性化合物と電子受容性化合物を用い、加熱温度及び／又は加熱後の冷却速度の違いにより相対的に発色した状態を形成しうる可逆性感熱組成物を含有する可逆性感熱記録層を有する可逆性感熱記録媒体の書き替えを行う記録装置において、給紙ユニットとして３５０ｎｍの波長の光の透過率が１０％以下であり、かつ、透過濃度が１．０以下である給紙トレイを用いることを特徴とする可逆性感熱記録媒体の記録装置。【選択図】      図３
2004322616.tif 000002
【特許請求の範囲】
【請求項１】
支持体上に電子供与性呈色性化合物と電子受容性化合物を用い、加熱温度及び／又は加熱後の冷却速度の違いにより相対的に発色した状態を形成しうる可逆性感熱組成物を含有する可逆性感熱記録層を有する可逆性感熱記録媒体の書き替えを行う記録装置において、給紙ユニットとして３５０ｎｍの波長の光の透過率が１０％以下であり、かつ、透過濃度が１．０以下である給紙トレイを用いることを特徴とする可逆性感熱記録媒体用記録装置。
【請求項２】
給紙トレイの一部の構造が３５０ｎｍの波長の光の透過率が１０％以下であり、かつ、透過濃度が１．０以下である確認窓を有していることを特徴とする請求項１記載の可逆性感熱記録媒体用記録装置。
【請求項３】
給紙トレイの給紙口が蓋によって開閉可能な構造であることを特徴とする請求項１または２記載の可逆性感熱記録媒体用記録装置。
【発明の詳細な説明】
【０００１】
【発明の属する技術分野】
本発明は、電子供与性呈色性化合物と電子受容性化合物との間の発色反応を利用した可逆性感熱発色組成物を用い、熱エネルギーを制御することにより発色画像の形成と消去が可能な可逆性感熱記録媒体への書き替えを行なうための記録装置に関する。
【０００２】
【従来の技術】
電子供与性呈色性化合物（以下、発色剤またはロイコ染料ともいう）と電子受容性化合物（以下、顕色剤ともいう）との間の発色反応を利用した感熱記録媒体は広く知られており、ＯＡ化の進展と共にファクシミリ、ワードプロセッサー、科学計測機などの出力用紙として、また最近ではプリペードカードやポイントカードなどの磁気感熱カードとしても広く使用されている。
【０００３】
しかし、これら実用化されている従来の感熱記録媒体は環境問題上、リサイクルや使用量の減量化などの見直しが迫られているが、不可逆的な発色であるため、一度記録した画像を消去して繰り返し使用することはできないし、新しい情報は画像が記録されていない部分に追記されるぐらいで記録可能な部分の面積は限られている。そのため、記録する情報量を減らしたり、記録エリアがなくなった時点でカードを作り直しているのが実状である。
そこで、近年盛んに論じられているゴミ問題や森林破壊問題を背景に、何度でも書き換え可能な可逆性感熱記録媒体の開発が望まれている。
【０００４】
この要求に対し、本発明者らは特開平５−１２４３６０号公報（特許文献１）において顕色剤として長鎖脂肪族炭化水素基をもつ有機リン酸化合物、脂肪族カルボン酸化合物またはフェノール化合物を用い、これと発色剤であるロイコ染料と組み合わせることによって、発色と消色を加熱冷却条件により容易に行わせることができ、その発色状態と消色状態を常温において安定に保持させることが可能であり、しかも発色と消色を繰り返すことが可能な可逆性感熱発色組成物およびこれを記録層に用いた可逆性感熱記録媒体を提案した。
またその後、長鎖脂肪族炭化水素基をもつフェノール化合物について特定の構造のものを使用することが提案されている［特開平６−２１０９５４公報（特許文献２）］。
【０００５】
このような可逆性感熱記録媒体は白地に黒色の画像を繰り返し形成することができるため、カード用途では実用化され、さらには通常の印刷物と同様の判読性を有しているため、特にオフィス用途などでの一時使用文書の印刷媒体として注目されている。
【０００６】
しかしながら、この種の可逆性感熱記録媒体に用いられるロイコ染料は光に対する安定性が悪く、長時間照射すると地肌部が変色したり、画像の消色性が悪くなるなどの問題を有している。本発明者らは耐光性の改善の為に、光安定化剤として、低分子有機紫外線吸収剤を用いる［特開平５−１２４３６０号公報（特許文献３）］、紫外線吸収性ポリマーを用いる［特開平９−２０７４３７号公報（特許文献４）］、無機の紫外線吸収剤を用いる［特開平１０−１００５４１号公報（特許文献５）］などの提案を行ってきた。
【０００７】
これらの提案により、光による地肌部の変色や画像の消去性の悪化などは大きく改善され、可逆性感熱記録媒体が例えばカード用途などの場合には通常、各個人がカードを携帯しており、光の照射を受ける時間は書き替え時や表示内容の確認といった比較的短時間であるため、この程度の光照射の影響ではほとんど問題のないレベルに達することが出来てきた。
【０００８】
しかしながら、オフィス用途の場合には可逆性感熱記録媒体をプリンタの給紙ユニットにセットして、印字するまで給紙ユニットにストックされていることが通常である。この場合、プリンタの使用状況によっては可逆性感熱記録媒体は給紙ユニットにストックされた状態で長時間にわたり放置される場合があり、その間光の照射を受けることになる。また、印字使用済みの可逆性感熱記録媒体も内容の確認など使用した後に、同様に給紙ユニットにストックして用いることになるので、オフィス用途の場合にはカード用途よりも長時間にわたって光照射を受け、可逆性感熱記録媒体は劣化することになる。
【０００９】
この可逆性感熱記録媒体の書き替えには、消去用の加熱部と印字用の加熱部を有する書き替え装置が用いられる。このような装置としては前記特開平５−１２４３６０号公報、特開平１１−２６８４１９号公報（特許文献６）などに書き替えの方法とともに提案されているが、上記の問題を解決でき得ない。また、特開平７−２７６７４０号公報（特許文献７）には、給紙ユニット内で消去温度に加熱する装置が提案されている。このようなカセットを用いることによって、記録媒体への光照射を遮断することは可能であるが、カセット内部が外から見えないため、記録媒体有無を確認することができず、往々にして書き換え操作を中断しなければならないことがあった。
【００１０】
【特許文献１】
特開平５−１２４３６０号公報
【特許文献２】
特開平６−２１０９５４公報
【特許文献３】
特開平５−１２４３６０号公報
【特許文献４】
特開平９−２０７４３７号公報
【特許文献５】
特開平１０−１００５４１号公報
【特許文献６】
特開平１１−２６８４１９号公報
【特許文献７】
特開平７−２７６７４０号公報
【００１１】
【発明が解決しようとする課題】
本発明の目的は、長時間にわたって光照射されても給紙トレイ内の可逆性感熱記録媒体の変色などが無く、かつプリンタにセットされた可逆性感熱記録媒体の有無が容易に確認できる記録装置を提供することにある。
【００１２】
【課題を解決するための手段】
本発明によれば、支持体上に電子供与性呈色性化合物と電子受容性化合物を用い、加熱温度及び／又は加熱後の冷却速度の違いにより相対的に発色した状態を形成しうる可逆性感熱組成物を含有する可逆性感熱記録層を有する可逆性感熱記録媒体の書き替えを行う記録装置において、給紙ユニットとして３５０ｎｍの波長の光の透過率が１０％以下であり、かつ、透過濃度が１．０以下である給紙トレイを用いることを特徴とする可逆性感熱記録媒体用記録装置が提供される。
【００１３】
上記の装置においては、（ｉ）給紙トレイの一部の構造が３５０ｎｍの波長光の透過率が１０％以下であり、かつ、透過濃度が１．０以下である確認窓を有し、及び／又は、（ｉｉ）給紙トレイの給紙口が蓋によって開閉可能な構造とする、ことによってより有用性が高まるものになり、透過率の低いほど給紙トレイを通過する光の量が少なくなる。
【００１４】
本発明でいう光の透過率（％）は、下記式（１）によって求められるものであり、透過率の低いほど給紙トレイを通過する光の量が少なくなる。
【数１】
2004322616.tif 000003
（ただし、ｔ：透過率、ｎ１：入射光の強度、ｎ２：透過光の強度である。）
また、本発明でいう透過濃度は、Ｘ−ｒｉｔｅ３１０を用いビジュアルフィルターで測定した透過濃度である。透過濃度は数値が大きいほど光が通りにくくなり、中が見えにくくなる。
【００１５】
【発明の実施の形態】
以下に本発明をさらに詳細に説明する。
本発明の記録装置は、ロイコ染料と顕色剤を用い、加熱温度及び／または加熱後の冷却速度の違いにより、発色あるいは消色する可逆性記録層を有する記録媒体の書き替えを行う装置である。
この書き替えは、消去工程と印字工程の２工程からなっており、消去工程ではヒートローラ、セラミックヒータ、ホットプレート、サーマルヘッドなどによって消色条件となるように加熱すればよく、また、印字工程ではサーマルヘッドなどによって発色条件となるように加熱すればよい。また、消去と印字を１本のサーマルヘッドで行うこともできる。この場合には消去部および印字部に異なる強さのエネルギーをかければ良く、例えばパルス幅やパルス数を制御することで消去工程と印字工程を同時に行うことができる。
【００１６】
図２を用いて書き替えについてさらに詳しく説明する。
記録媒体１１は給紙ユニット１２にストックされている。書き替え時には搬送ローラ１７によって消去部まで搬送され、加熱ローラ１３と加圧ローラ１４で加熱されて画像が消去される。続いて搬送ローラ１８によって印字部まで搬送され、サーマルヘッド１５とプラテンローラ１６で印字が行われたのち、排紙台１９に搬出される。
【００１７】
本発明では、給紙ユニット１２は内部の記録媒体の有無が確認できて、かつ遮光することで、記録媒体の用紙切れなどを確認できる上に記録媒体の変色が無いものとなる。光の影響を受けない様にするには紫外光を遮光することが好ましく、３５０ｎｍの光の透過率が１０％以下であることが好ましい。さらに３５０ｎｍの光の透過率が５％以下であることがさらに好ましい。こうすることで、通常一般オフィスの照明による記録媒体の劣化はほとんどない状態となる。３５０ｎｍの透過率は例えばＨＩＴＡＣＨＩ  Ｕ−３３０型分光光度計を用いて測定することができる。
【００１８】
また、遮光の目的のため、金属板や不透明の樹脂類を給紙カセットに使用すると内部の様子が外から全く見えなくなり、可逆性感熱記録用紙の有無が確認できない状態となる。このように用紙の有無が確認できない状態では、万一用紙の無い場合にすぐに対応することが困難となり問題である。そこで、本発明では給紙トレイの透過濃度が１．０以下であることにより、内部の可逆性感熱記録媒体の有無が確認できるようになる。さらに好ましくは透過濃度が０．５以下の場合には、より容易に内部の様子を確認することができる。なお、本発明において透過濃度は例えばＧｒｅｔａｇ  Ｍａｃｂｅｔｈ社製のＳｐｅｃｔｒｏｌｉｎｏおよびＳｐｅｃｔｒｏｓｃａｎＴ（条件：１０°視野、光源Ｄ６５）を用いて測定することができる。
【００１９】
給紙トレイの形状は、代表的には図３に示したように、書き替え装置への差込口側が開口し、内部に積層された可逆性感熱記録媒体が収納される比較的平扁の函体である。このトレイは上蓋が省略されていてもよいが、この場合には、可逆性感熱記録媒体の感熱記録層側を３５０ｎｍの波長の光の透過率が１０％以下で、かつ透過強度１．０以下として底部側に向けておく必要がある。
【００２０】
３５０ｎｍの波長の光の透過率を１０％以下に抑えるための手法としては、透明樹脂板にＵＶカットフィルム（３５０ｎｍの光透過率１０％）を貼りつけるのが有利である。また、透過濃度を１．０以下に抑えるための手法としては、着色の程度を調整するのが効果的である。
ここで、透過率と透過濃度との関連は、３５０ｎｍ紫外光の光の透過をしにくく（記録媒体が紫外光で劣化しないこと）さらに、可視光はある程度通して給紙トレイの中が外から見えるようにすることである。
【００２１】
また、給紙トレイの形状は、例えば図５に示したように、一部に窓２４を設け、あるいは図６に示したように給紙口が蓋２６によって開閉できる構造とし、これら資格により可逆性感熱記録媒体の有無が認識できる窓２４や蓋２６を３５０ｎｍの波長の光の透過率が１０％以下、かつ透過濃度が１．０以下とし、その他のところは視覚により内容物認識できないようなものであってもかまわない。
【００２２】
次に本発明の記録装置に用いる可逆性感熱記録媒体について説明する。
ロイコ染料と顕色剤による発色および消色を利用したものであり、例えば、前記の特開平５−１２４３６０号公報、特開平６−２１０９５４号公報、特開平１０−２３０６８０号公報などに記載されているものである。
【００２３】
ロイコ染料の例としては上記の特許公報などに記載されたものが広く用いられるが、たとえば、２−アニリノ−３−メチル−６−ジエチルアミノフルオラン、２−アニリノ−３−メチル−６−ジ（ｎ−ブチルアミノ）フルオラン、２−アニリノ−３−メチル−６−（Ｎ−ｎ−プロピル−Ｎ−メチルアミノ）フルオラン、２−アニリノ−３−メチル−６−（Ｎ−イソプロピル−Ｎ−メチルアミノ）フルオラン、２−アニリノ−３−メチル−６−（Ｎ−イソブチル−Ｎ−メチルアミノ）フルオラン、２−アニリノ−３−メチル−６−（Ｎ−ｎ−アミル−Ｎ−メチルアミノ）フルオラン、２−アニリノ−３−メチル−６−（Ｎ−ｓｅｃ−ブチル−Ｎ−メチルアミノ）フルオラン、２−アニリノ−３−メチル−６−（Ｎ−ｎ−アミル−Ｎ−エチルアミノ）フルオラン、２−アニリノ−３−メチル−６−（Ｎ−ｉｓｏ−アミル−Ｎ−エチルアミノ）フルオラン、２−アニリノ−３−メチル−６−（Ｎ−ｎ−プロピル−Ｎ−イソプロピルアミノ）フルオラン、２−アニリノ−３−メチル−６−（Ｎ−シクロヘキシル−Ｎ−メチルアミノ）フルオラン、３−（１−エチル−２−メチルインドール−３−イル）−３−（２−エトキシ−４−ジエチルアミノフェニル）−４−アザフタリド、３−（１−エチル−２−メチルインドール−３−イル）−３−（２−エトキシ−４−ジエチルアミノフェニル）−７−アザフタリド、３−（１−オクチル−２−メチルインドール−３−イル）−３−（２−エトキシ−４−ジエチルアミノフェニル）−４−アザフタリドなどが単独、または混合して用いられる。
【００２４】
顕色剤も同様に上記の特許公報などに記載されたものが用いられ、長鎖脂肪族炭化水素基をもつ有機リン酸化合物、脂肪族カルボン酸化合物またはフェノール化合物の代表例と共に開示されているように、分子内に発色剤を発色させることができる顕色能をもつ構造と分子間の凝集力をコントロールする構造を併せ持つ化合物が使用される。
【００２５】
顕色能をもつ構造としては、フェノール性水酸基、カルボキシル基、リン酸基などの酸性の基が用いられるが、これらに限らず、チオ尿素基、カルボン酸金属基など発色剤を発色できる基を持てばよい。分子間の凝集力をコントロールする構造の代表例としては長鎖アルキル基等の炭化水素基などがある。この炭化水素基の炭素数は８以上であることが良好な発色・消色特性を得る上で好ましい。また、この炭化水素基には不飽和結合が含まれても良く、また分枝状の炭化水素基も包含される。この場合も主鎖部分は炭素数８以上であることが好ましい。
【００２６】
上記のように顕色剤は、顕色能をもつ構造と炭化水素基のような分子間の凝集力をコントロールする構造が連結した構造を持つ。この連結部分にはヘテロ原子を含む２価の基、または、これらの基が複数個組合わせた基をはさんで結合していても良い。
【００２７】
以下、本発明に用いられる顕色剤のうち好ましいものを具体的に例示するが、これらに限られず、従来から可逆性感熱記録媒体に用いられているものの使用可能である。なお、顕色剤は単独で用いても良いし２種類以上を混合して用いても良い。
【００２８】
【化１】
2004322616.tif 000004
式中、Ｘ１はヘテロ原子を含む２価の基または直接結合手を示し、Ｘ２はヘテロ原子を含む２価の基を示す。Ｒ１は２価の炭化水素基を表し、Ｒ２は炭素数１から２２の炭化水素基を表す。また、ｐは０〜４の整数を表し、ｐが２〜４の時繰り返されるＲ１およびＸ２は同一でも、異なっていても良い。また、ｑは１〜３を表す。
【００２９】
具体的には、Ｒ１およびＲ２は置換基を有していてもよい炭化水素基を示し、これらは脂肪族炭化水素基でも芳香族炭化水素基でもよく、また、これらの両方から構成される炭化水素基でもよい。また脂肪族炭化水素基は直鎖でも分枝していてもよく、不飽和結合を有していてもよい。炭化水素基につく置換基としては、水酸基、ハロゲン、アルコキシ基等がある。なお、Ｒ１は直接結合手でも良い。
【００３０】
またＲ１及びＲ２の炭素数の和が７以下では発色の安定性や消色性が低下するため、炭素数は８以上が好ましく、１１以上であることがより好ましい。Ｘ１及びＸ２はヘテロ原子を含む２価の基を示し、好ましくは表１で表される基を少なくとも１個以上有する２価の基を表す。その具体例としては、下記表２のものが挙げられる。
【００３１】
【表１】
2004322616.tif 000005
【００３２】
【表２】
2004322616.tif 000006
【００３３】
本発明におけるフェノール化合物の具体的な例を下記表３に挙げるが、本発明はこれらに限定されるものではない。また、フェノール化合物を単独または混合して用いることもできる。
【００３４】
【表３】
2004322616.tif 000007
【００３５】
本発明の記録装置に用いる可逆性感熱記録媒体は、加熱温度及び／又は加熱後の冷却速度により相対的に発色した状態と消色した状態を形成しうるものである。この本発明に用いられる発色剤と顕色剤からなる組成物の基本的な発色・消色現象を説明する。図１はこの記録媒体の発色濃度と温度との関係を示したものである。はじめ消色状態（Ａ）にある可逆性感熱記録媒体を昇温していくと、溶融し始める温度Ｔ１で発色が起こり溶融発色状態（Ｂ）となる。溶融発色状態（Ｂ）から急冷すると発色状態のまま室温に下げることができ、固まった発色状態（Ｃ）となる。この発色状態が得られるかどうかは、溶融状態からの降温の速度に依存しており、徐冷では降温の過程で消色が起き、はじめと同じ消色状態（Ａ）あるいは急冷発色状態（Ｃ）より相対的に濃度の低い状態が形成される。一方、急冷発色状態（Ｃ）をふたたび昇温していくと発色温度より低い温度Ｔ２で消色が起き（ＤからＥ）、ここから降温するとはじめと同じ消色状態（Ａ）に戻る。実際の発色温度、消色温度は、用いる顕色剤と発色剤の組合せにより変化するので目的に合わせて選択できる。また溶融発色状態の濃度と急冷したときの発色濃度は、必ずしも一致するものではなく、異なる場合もある。
【００３６】
本発明の可逆性感熱記録媒体では、溶融状態から急冷して得た発色状態（Ｃ）は顕色剤と発色剤が分子どうしで接触反応しうる状態で混合された状態であり、これは固体状態を形成していることが多い。この状態は顕色剤と発色剤が凝集して発色を保持した状態であり、この凝集構造の形成により発色が安定化していると考えられる。一方、消色状態は両者が相分離した状態である。この状態は少なくとも一方の化合物の分子が集合してドメインを形成したり結晶化した状態であり、凝集あるいは結晶化することにより発色剤と顕色剤が分離して安定化した状態であると考えられる。本発明では多くの場合、両者が相分離し顕色剤が結晶化することによってより完全な消色が起きる。図１に示した溶融状態から徐冷による消色および発色状態からの昇温による消色は、いずれもこの温度で凝集構造が変化し、相分離や顕色剤の結晶化が起きている。
【００３７】
本発明の発色画像の形成は、サーマルヘッドなどによりいったん溶融混合する温度に加熱し、急冷すればよい。また、消色は加熱状態から徐冷する方法と発色温度よりやや低い温度に加熱する方法の二つである。しかし、これらは両者が相分離したり、少なくとも一方が結晶化する温度に一時的に保持するという意味で同じである。発色状態の形成で急冷するのは、この相分離温度または結晶化温度に保持しないようにするためである。ここにおける急冷と徐冷はひとつの組成物に対して相対的なものであり、その境界は発色剤と顕色剤の組合せにより変化する。
【００３８】
本発明の記録装置に用いる可逆性感熱記録媒体は上記のロイコ染料および顕色剤をバインダー樹脂とともに分散し支持体上に形成すれば良く、例えば、前記特開平１０−２３０６８０号公報などに記載のように記録媒体を作製すればよい。
【００３９】
【実施例】
以下、実施例によって本発明を具体的に説明する。なお、実施例中の「部」および「％」はいずれも重量を基準とするものである。
【００４０】
（可逆性感熱記録媒体の作製）
2004322616.tif 000008
【化２】
2004322616.tif 000009
2004322616.tif 000010
上記組成物を、ボールミルを用いて平均粒径約１μｍまでなるように粉砕分散した。
2004322616.tif 000011
顕色剤を粉砕分散した分散液に上記組成物を加え、良く攪拌し記録層塗布液を調製した。
【００４１】
2004322616.tif 000012
上記組成物を良く攪拌し保護層塗布液を調製した。
【００４２】
上記組成の記録層塗布液を、厚さ１００μｍの白色ポリエステルフィルム上にワイヤーバーを用いて塗布し、１００℃２分で乾燥後、６０℃２４時間のキュアーを行って膜厚約１１μｍの記録層を設けた。更に、上記組成の保護層塗布液を、該記録層上にワイヤーバーを用いて塗布し、１００℃２分で乾燥後、６０℃２４時間のキュアーを行って膜厚約３μｍの保護層を設け、本発明に用いる可逆性感熱記録媒体１１を作製した。
【００４３】
（実施例１）
図３は図１に記載の書き変え装置の給紙トレイを示している。給紙トレイ２２のカバーは透明アクリル板上にキング製作所製ＵＶカットフィルム（３５０ｎｍの光透過率０．５％以下）を貼りつけたものである。透過濃度は０．１５であった。
給紙トレイ２２内に記録媒体１１を入れ、書き変え装置１０にセットしたところ記録媒体１１は外部から明瞭に認識できた。さらにトレイをセットした書き変え装置を蛍光灯５，０００ルクスの条件で１０日間放置した。試験後、可逆性感熱記録媒体１１は変色のない良好な状態であった。
【００４４】
（実施例２）
図４は図３と同様に給紙トレイを示している。給紙トレイ２３のカバーは透明アクリル板上にキング製作所製ＵＶカットフィルム（３５０ｎｍの光透過率０．５％以下）を貼りつけ、さらにアクリル樹脂塗料からなるカラースプレー（黒色）で表面を着色したものである。透過濃度は０．５２であった。
給紙トレイ２３内に記録媒体１１を入れ、書き変え装置１０にセットしたところ記録媒体１１は外部から認識できた。さらに、トレイをセットした書き変え装置を蛍光灯５，０００ルクスの条件で１０日間放置した。試験後、可逆性感熱記録媒体１１は変色のない良好な状態であった。
【００４５】
（実施例３）
実施例２においてカラースプレー（黒）のスプレー量を多くして表面を着色し透過濃度を１．０とした以外は実施例２と同様にした。トレイ内の記録媒体は外部から認識可能であった。さらに、トレイをセットした書き変え装置を蛍光灯５，０００ルクスの条件で１０日間放置した。試験後、可逆性感熱記録媒体１１は変色のない良好な状態であった。
【００４６】
（実施例４）
図５は図３と同様に給紙トレイを示している。不透明なカバー２５の一部に実施例１で使用したものと同じキング製作所製ＵＶカットフィルムを張りつけた透明アクリル板よりなる窓２４を設けたものである。窓の部分の透過濃度は０．１５であった。
給紙トレイ内に可逆性感熱記録媒体１１を入れ、書き変え装置１０にセットしたところ可逆性感熱記録媒体１１は外部から窓をとおして明瞭に認識できた。さらにトレイをセットした書き変え装置を蛍光灯５，０００ルクスの条件で１０日間放置した。試験後、可逆性感熱記録媒体１１は変色のない良好な状態であった。
【００４７】
（実施例５）
図６（ａ）は図３と同様に給紙トレイを示している。不透明なカバー２５の一部を実施例４の窓２４と同様にＵＶカットフィルムを張りつけた開閉可能な蓋２６を設けたものである。図６（ｂ）は蓋を開けた状態を示している。蓋の部分の透過濃度は０．１５であった。
給紙トレイ内に記録媒体１１を入れ、書き変え装置１０にセットしたところ可逆性感熱記録媒体１１は外部から蓋をとおして明瞭に認識できた。さらにトレイをセットした書き変え装置を蛍光灯５，０００ルクスの条件で１０日間放置した。試験後、可逆性感熱記録媒体１１は変色のない良好な状態であった。
【００４８】
（実施例６）
実施例５で用いた窓２４に張りつけたＵＶカットフィルムの代わりに、紫外線吸収性ポリマー（一方社油脂製、ＵＬＳ−１１５）を２５μｍの透明ＰＥＴ上に膜厚２．５μｍとなるように塗工したフィルムを用いた他は、実施例５と同様にして給紙トレイを作製した。なお、作製した窓２４の３５０ｎｍの光透過率は５％、透過濃度は０．１８であった。
作製したトレイは実施例５と同様に中にセットした記録媒体１１を窓２４を通して確認できた。さらにトレイをセットした書き変え装置を蛍光灯５，０００ルクスの条件で１０日間放置した。試験後、可逆性感熱記録媒体１１は変色のない良好な状態であった。
【００４９】
（実施例７）
実施例６で用いたフィルムの紫外線吸収性ポリマーをＭＭＡと１：１の割合で混合し、膜厚２．５μとなるように塗工したフィルムを用いた他は実施例６と同様にして給紙トレイを作製した。なお、作製した窓２４の３５０ｎｍの光透過率は９％、透過濃度は０．１７であった。
作製したトレイは実施例５と同様に中にセットした記録媒体１１を窓２４を通して確認できた。さらにトレイをセットした書き変え装置を蛍光灯５，０００ルクスの条件で１０日間放置した。試験後、可逆性感熱記録媒体１１は変色のない良好な状態であった。
【００５０】
（比較例１）
実施例４の窓２４に張りつけたＵＶカットフィルムを用いなかった他は実施例４と同様に行った。
作製したトレイは実施例５と同様に中にセットした記録媒体１１を窓２４を通して確認できた。さらにトレイをセットした書き変え装置を蛍光灯５，０００ルクスの条件で１０日間放置した。試験後、可逆性感熱記録媒体１１は薄いクリーム色への変色が見られた。
【００５１】
（比較例２）
実施例１のトレイを不透明な樹脂にて作製し、ＵＶカットフィルムを用いなかった他は実施例１と同様に行った。
作製したトレイは中にセットした記録媒体１１を確認できなかった。さらにトレイをセットした書き変え装置を蛍光灯５，０００ルクスの条件で１０日間放置した。試験後、可逆性感熱記録媒体１１は変色のない良好な状態であった。
【００５２】
【発明の効果】
以上のように、本発明の記録装置は可逆性感熱記録媒体が収納される給紙ユニットのトレイを、３５０ｎｍの波長の光の透過率が１０％以下で、かつ透過濃度が１．０以下としたことにより、光の照射による可逆性感熱記録媒体の変色が無く、さらに記録媒体の有無が確認できる実用性の高いものである。
【図面の簡単な説明】
【図１】本発明の記録装置の給紙ユニットに用いられる給紙トレイの斜視図である。
【図２】本発明の記録装置の給紙ユニットに用いられる他の給紙トレイの斜視図である。
【図３】本発明の記録装置の給紙ユニットに用いられる他の給紙トレイの斜視図である。
【図４】本発明の記録装置の給紙ユニットに用いられる他の給紙トレイの斜視図である。
【図５】本発明の記録装置の給紙ユニットに用いられる他の給紙トレイの斜視図である。
【図６】本発明の記録装置の給紙ユニットに用いられる他の給紙トレイの斜視図であって、（ａ）は蓋が閉じられている状態の斜視図、（ｂ）は蓋が開けられている状態の斜視図である。
【符号の説明】
１０  書き換え装置
１１  可逆性感熱記録媒体
１２  給紙ユニット
１３  加熱ローラ
１４  加圧ローラ
１５  サーマルヘッド
１６  プラテンローラ
１７  搬送ローラ
１８  搬送ローラ
１９  排紙台
２２  給紙トレイ
２３  給紙トレイ
２４  窓
２５  給紙トレイ
２６  蓋
【図１】
2004322616.tif 000013
【図２】
2004322616.tif 000014
【図３】
2004322616.tif 000015
【図４】
2004322616.tif 000016
【図５】
2004322616.tif 000017
【図６】
2004322616.tif 000018